(57)【要約】本発明は、可撓体を有するコードレス整髪器に関係し、当該コードレス整髪器は、剛性部材を、選択された収納位置及び動作的な位置に互いに対して保持するよう、コードレス整髪器の剛性部材に巻き付けられ且つほどかれることができる平坦な可撓性の１枚の布地を有する。
2007519463.tif 000002
【特許請求の範囲】
【請求項１】
コードレス整髪器であって：
該コードレス整髪器の複数の剛性部材に巻き付き且つほどくことができる平坦な可撓性の１枚の布地を有する可撓体であり、それにより前記剛性部材を選択された小型の収納位置及び手頃に動作的な位置に夫々保持する、ところの可撓体、
を有する、ところのコードレス整髪器。
【請求項２】
前記剛性部材は、
取付部品と；
該取付部品が枢着可能に支持される伸長部材と；
伸長バッテリパックと、
を有する、
請求項１記載の整髪器。
【請求項３】
前記可撓体は複数のポケットとともに形成され、その中の前記伸長部材及び前記バッテリパックは夫々事実上平行関係に置かれ且つ保持され、
前記可撓体は、前記複数のポケットのうち１つから延び且つ前記伸長部材及び前記バッテリパックに巻き付けられることが可能な可撓性の延長部分を含み、それにより前記バッテリパックが中に置かれた前記ポケット、及び前記可撓体の一部分によって前記伸長部材が置かれた前記ポケットにヒンジ付けされた前記バッテリパックを前記取付部品によって以前占められた空間内に移動することができ、且つ前記バッテリパックを前記伸長部材に対して適切な位置に保持し、前記伸長部材及びバッテリパックが整髪用の前記取付部品の適用中に掴むことができるハンドル部材を有するようにする、
請求項２記載の整髪器。
【請求項４】
前記可撓体は布地のような部材で形成され且つブランケットのように折り畳み可能である、
請求項３記載の整髪器。
【請求項５】
前記可撓体は複数の層の可撓性の材料で形成され、該複数の層の可撓性の材料はともに縫い合わされて前記複数のポケットを形成し、その中に前記伸長部材及び前記バッテリパックが置かれる、
請求項３記載の整髪器。
【請求項６】
前記可撓性の延長部材は締結具が設けられ、該締結具は前記可撓性の延長部分を前記可撓体の一部分に連結して前記可撓性の延長部分を前記可撓体に包まれた状況に保持する、
請求項３記載の整髪器。
【請求項７】
前記コネクタは第１及び第２の部分を有するベルクロ（登録商標）コネクタを有し、該ベルクロ（登録商標）コネクタは該第１及び第２の部分を夫々前記可撓体の選択された部分又は前記可撓性の延長部分に取り付けて、収納状態及び動作的状態の巻き付け構成を成すことを可能にする、
請求項３記載の整髪器。
【請求項８】
前記可撓体に置かれて前記バッテリパック及び前記取付部品に相互接続する導電性のワイヤ、
を更に有する、
請求項３記載の整髪器。
【請求項９】
前記ワイヤは前記ポケット間の前記可撓体に形成されたヒンジ部分を通過し、前記ポケット間内に前記伸長部材が置かれ且つ前記ポケット内に前記バッテリパックが置かれる、
請求項８記載の整髪器。
【請求項１０】
伸長部材上にマウントされ且つ前記バッテリパックと前記取付部品との間に動作的に置かれて、前記バッテリパックから前記取付部品への電流供給を制御するスイッチ、
を更に有する、
請求項８記載の整髪器。
【請求項１１】
前記取付部品は加熱要素及び頭髪固定を含むワンドを有し、該頭髪固定はワンド上に枢着可能に支持されて毛髪を当該ワンドを背にして押さえる、
請求項１記載の整髪器。
【請求項１２】
整髪器を収容する方法であって：
可撓体に形成された複数のポケットのうち１つに、整髪用取付部品が上に枢着可能にマウントされた伸長部材を置かれる工程であり；
バッテリパックを前記のポケットとは別のポケットに置かれる工程；
前記伸長部材に平行する収納位置を呈するよう前記整髪用取付部品を折り畳む工程；
前記可撓体を前記複数のポケットの周りに巻く工程であり、それにより前記伸長部材、前記整髪部材及び前記バッテリパックを互いに対して密接になるよう引く、ところの工程；及び
前記可撓体が前記伸長部材、前記整髪部材及び前記バッテリパックに巻き付けられることを保つよう、締結具を用いて前記可撓体を前記可撓体自体に締結する工程、
を有する方法。
【請求項１３】
締結具を解除する工程；
前記取付部品を露出するよう前記可撓体をほどく工程；
伸長本体部に対して所定の動作的な位置を呈するよう、前記取付部品を広げる工程；
前記可撓体が前記伸長部材及び前記バッテリパックに再度に巻き付けられる工程であり、それにより前記バッテリパックを前記伸長部材に近接して引き、且つ前記取付部品の使用中に用いることができるハンドルを形成する、ところの工程；及び
前記締結具を再度締結する工程、
を更に有する、
請求項１２記載方法。
【発明の詳細な説明】
【技術分野】
【０００１】
本発明は、概してコードレス整髪器に係り、より詳細には、軟性の保護用の布地のような本体部に包まれた折り畳み可能なコードレス整髪器に係り、該整髪器は旅行用に設計され、使用者が自らの髪を整えることができる使用可能な状態を呈するようほどかれ、広げられ、且つ再度包まれることができる。
【背景技術】
【０００２】
以前に提案された折り畳み可能／畳み込み可能なコードレスの電動頭髪カール形成器具が、提案されてきた。通常のコードレスの電動頭髪カール形成器具では、加熱要素（たとえば、ワンド）及び頭髪固定（hair  clamp）部材が、ハンドル上に枢着可能に支持され、このうち、ワンドは、不使用時に収納された。しかしながら、これらの配置は、剛性の本体部／構成部品で構成され、その形状は可変ではなく、たとえば旅行に出かけようというときに、詰め込み過ぎのかばん／スーツケースに必然的に残された非常に限られた且つ奇妙な形の空間に、置かれにくい場合がある。更に、（たとえば）ワンド／バッテリが、収容されるハウジングが、剛性の性質を有することにより、整髪器を持ち運ぶかばん／スーツケースを落としてしまったり、又は周りの荷物による過大な力に晒されたりする場合、損傷が起こり得る。
【０００３】
本発明は、折り畳み可能なコードレス整髪器を対象とし、本装置の本体部は、詰め物をしたブランケットのように、且つ従って付属品（たとえば、ワンド／固定具）及びバッテリ周りもまた同様に巻かれ且つほどかれることができる、軟性の柔軟な保護部材で形成される。この軟性の本体部は、今しがた前述した要素間の移動を抑えることを可能にし、並びに、従来技術の整髪器配置部材に用いられた剛性のハンドル要素を排除する。軟性の可撓性のハウジング部材もまた、ハウジングをほどき、取付部品を動作的な位置に枢着させ、且つ本体部を再度包むことを可能にし、１つ又は複数のバッテリパックを、細長い支持部材を背にする取付部品が枢着可能に支持された端部上の位置に引く。バッテリが中に収納される１つ又は複数のバッテリパックは、したがって、以前取付部品によって占められた位置に移動され、且つ伸長部材とともに、装置の使用中に使用者が保持するのに適した厚さを有するハンドル配置部材を形成する。
【０００４】
より詳細には、本発明は、
コードレス整髪器であって：
該コードレス整髪器の複数の剛性部材に巻き付き且つほどくことができる平坦な可撓性の１枚の布地を有する可撓体であり、それにより前記剛性部材を選択された小型の収納位置及び手頃に動作的な位置に夫々保持する、ところの可撓体、
を有する、ところのコードレス整髪器に係る。
【０００５】
開示される実施形態において、
前記剛性部材は、
取付部品と；
該取付部品が枢着可能に支持される伸長部材と；
伸長バッテリパックと、
を有する。
【０００６】
更に、上述した可撓体（１０２）は、
前記可撓体は複数のポケットとともに形成され、その中の前記伸長部材及び前記バッテリパックは夫々事実上平行関係に置かれ且つ保持され、
前記可撓体は、前記複数のポケットのうち１つから延び且つ前記伸長部材及び前記バッテリパックに巻き付けられることが可能な可撓性の延長部分を含み、それにより前記バッテリパックが中に置かれた前記ポケット、及び前記可撓体の一部分によって前記伸長部材が置かれた前記ポケットにヒンジ付けされた前記バッテリパックを前記取付部品によって以前占められた空間内に移動することができ、且つ前記バッテリパックを前記伸長部材に対して適切な位置に保持し、前記伸長部材及びバッテリパックが整髪用の前記取付部品の適用中に掴むことができるハンドル部材を有するように、保持する。
【０００７】
本発明の更なる態様は、
整髪器を収容する方法であって：
可撓体に形成された複数のポケットのうち１つに、整髪用取付部品が上に枢着可能にマウントされた伸長部材を置く工程であり；
バッテリパックを前記のポケットとは別のポケットに置く工程；
前記伸長部材に平行する収納位置を呈するよう前記整髪用取付部品を折り畳む工程；
前記可撓体を前記複数のポケットの周りに巻く工程であり、それにより前記伸長部材、前記整髪部材及び前記バッテリパックを互いに対して密接になるよう引く、ところの工程；及び
前記可撓体が前記伸長部材、前記整髪部材及び前記バッテリパックに巻き付けられることを保つよう、締結具を用いて前記可撓体を前記可撓体自体に締結する工程、
を有する方法に帰する。
【０００８】
本方法はまた、
締結具を解除する工程；
前記取付部品を露出するよう前記可撓体をほどく工程；
伸長本体部に対して所定の動作的な位置を呈するよう、前記取付部品を広げる工程；
前記可撓体が前記伸長部材及び前記バッテリパックに再度に巻き付けられる工程であり、それにより前記バッテリパックを前記伸長部材に近接して引き、且つ前記取付部品の使用中に用いることができるハンドルを形成する、ところの工程；及び
前記締結具を再度締結する工程、
を有する。
【０００９】
例示的な実施形態の様々な態様及び利点が、添付の図面を参照するとともに、図面の詳細な説明が成されることで、より明らかに認識されるであろう。
【００１０】
本発明１００の第１の例示的な実施形態が、布地（識布若しくは不識布）又は同様の種類の材料で形成された可撓体１０２を有する。本実施形態では、布地は、キルトに類似する。可撓体１０２は、複数の層の材料で形成され、複数の層の材料は、縫い合わされるか又は連結されて（たとえば、熱で接合される（heat staked））、３つの細長いポケット１０４、１０６、１０８を形成する。衝撃を吸収する詰め物の層（図示せず）を、複数の層の間に適切に置き且つ縫製／連結を所定の位置に保持し、それにより、キルトに似た外見を生み出す。
【００１１】
中央ポケット１０４が、伸長部材１１０を受け入れるよう配置され、伸長部材１１０上に取付部品１１２（以降、ワンドと呼ぶ）が、枢着的配置部材を通って、枢着可能にマウントされる。枢着的配置部材は、ワンド１１２が、収納時には伸長部材１１０の脇に折り返され、且つワンド１１２及び伸長部材１１０が事実上互いに整列した動作的な位置を呈するよう、枢着されることを可能にする。伸長部材１１０は、コードレス整髪器が使用中の際、ハンドルの一部分を形成する。本実施形態において、２つのポケット、すなわちポケット１０６、１０８が、その内部に置かれた複数のバッテリパックを有する。ポケット１０６、１０８は、伸長部材１１０を内部に置かれた中央ポケット１０４のいずれかの側部に形成される。
【００１２】
可撓体１０２は更に、垂れ蓋又は結束部分に似た、可撓性の延長部分１０２Ａを含む。この垂れ蓋のような可撓性の延長部分１０２Ａは、コードレス整髪器の剛性要素に巻き付けられるよう配置され、且つ締結配置部材１０２Ｂによって、巻き付けられた状態に固定される。本実施形態の締結配置部材１０２Ｂは、いわゆるベロクロ（Velcro（登録商標））タイプの鈎及び環状の締結具を含む。この種の締結具は、コードレス整髪器の剛性要素上に局所的な圧力を生成する恐れのある硬い要素がなく、したがって、本発明の主題である、可撓体１０２によってもたらされる、柔らかくくるむ保護包装を保つ。
【００１３】
ポケット１０６、１０８内に置かれたバッテリパック１１６は、複数のヒンジキャップ（符号なし）を有するよう配置されて、乾電池又は充電池が、バッテリパック１１６中に挿入されることを可能にする。ばね等（図示せず）が、複数のパック本体部を画定する複数の細長い管状部材の底部で置かれる。このばねは、２つの電極のうち１つとして作用し、電極は、バッテリパック内に摺動された電池からワンド内に設けられた加熱要素へと直流を伝えるために必要である。図示されてはいないが、複数の可撓性のコネクタが、バッテリパックポケット１０６、１０８と中央ポケット１０４とを分け隔てる、可撓体の細いヒンジのような部分１０２Ｃを通って置かれ、且つバッテリパック電極を、伸長部材１１０とともに置かれた電源スイッチ（それ自体は図示せず）を介して、ワンド１１２内の加熱要素へと接続させる。
【００１４】
第１の実施形態において、スイッチは、レバー１２０によって動作される。第２の実施形態において、スイッチは、伸長部材上に形成されたボタン２２０によって動作される。この種の配線及びスイッチ接続については、本発明に関係する当業者にとって十分に知識の範囲内であり、簡潔を期すため、更なる開示は与えられない。
【００１５】
電源スイッチを制御するようレバー１２０を用いる場合、レバー１２０は、図１に示す方法では、ワンド１１２を背に平坦に横たわる位置に収納される。ワンド１１２が展開された後、レバー１２０は、図３に示す位置へ約１２０゜〜１４０゜枢着される。レバー１２０を、この位置から伸長部材１１０へと押下することで、レバー１２０の端部で形成された、つまみのような角度のある（tongue-like  angled）部材（図４参照）を、電源スイッチを起動するように、移動させる。
【００１６】
所望であれば、使用中にワンド１１２が操作者の手に折り返されることを防ぐために、ヒンジは、クリックストップを設けることができる。
【００１７】
コードレス整髪器の使用が望まれるとき、必要なことは、締結具を解除することと、可撓体１０２をほどいて、たとえば図１に示す状態を呈することだけである。この後、ワンド１１２は、ワンド１１２の収納位置（ワンド１１２が、収納位置から部分的に枢着された状態を示した図２を参照のこと）から、ワンド１１２の動作的な位置まで、さまざまに枢着されることができる。ここで、ワンド１１２は、適切な位置にクリックロックしてもよい。この後、柔らかい柔軟性のある部材１０２Ａが、バッテリパック１１６に巻き付けられることができる。巻き付け方としては、図３に示す方法で、バッテリパック１１６を伸長部材１１０下に引き入れ、且つ締結具１０２Ｂを締結して、伸長部材下の位置にバッテリパックを保持する。
【００１８】
コードレス整髪器の使用がもはや必要でなくなったとき、締結具１０２Ｂを解除し、可撓体１０２を開き、且つバッテリパック１１６間の位置を呈するよう、ワンド１１２を伸長部材を背に折り返すことができる。次に、可撓体１０２は、巻き上げられ、可撓性の延長部分１０２Ａが、可撓体１０２及び剛性要素（すなわち、伸長部材１１０、ワンド１１２、及びバッテリパック１１６）に巻き付けられ、且つ締結具１０２Ｂが、締結される。この結果が、図４に示される配置である。
【００１９】
図７に示すような方法で、充電器接続用のソケットが、伸長部材１１０の端部に設けられ、長方形のカバーによって隠される。このことは、バッテリパック１１６内の充電池を充電し、且つ／又は、たとえば自動車両にある煙草用ライターのソケット等の外部の電源を用いて整髪器を動作させることを可能にする。
【００２０】
本発明は、限られた数の実施形態を参照して開示されてきたが、様々な変更及び変形が、本発明の範囲から逸脱することなく成されてもよく、添付の特許請求の範囲によってのみ限定されることは、容器の構成及び輸送を扱う当業者には、自明であろう。たとえば、実施形態が可能であるのは、バッテリパックが１つしかないか、又は可撓体が、型押された／テクスチャ加工された材料で形成され、可撓体の中に形成された把持が、改良された衝撃吸収バンプ／突起物を有するときであり、取付部品／アクセサリ及びバッテリパックの衝撃損傷等に対する保護を改善する。当然、如何なる電気的に操作される装置をも、本開示に説明され且つ図示された取付部品に代わって用いることができる。
【図面の簡単な説明】
【００２１】
【図１】取付部品（ワンド）が、すぐに動作的な位置へ枢着される状態で露出されるよう、軟性の延長巻き付け部材がほどかれ且つ可撓体が安置された、本発明の第１の実施形態の下面の平面図である。
【図２】収納位置から部分的に枢着された取付部品を示し、且つ取付部品が受け入れられる／収納される空間を示す、斜視図である。
【図３】取付部品が、動作的な位置まで完全に延長され、且つ軟性の延長巻き付け部材が、再度巻き付けられて、ワンドが枢着可能に支持された伸長部材を背にして２つのバッテリパックを締める、取付部品及び軟性の延長巻き付け部材を示す斜視図である。
【図４】取付部品が、収納位置に折り返され、且つ軟性の延長巻き付け部材が、巻き付かれて所定の場所に締結されて、すぐに荷造り／旅行できるような配置にする、取付部品及び軟性の延長巻き付け部材を示す斜視図である。
【図５】異なった形状の軟性の延長巻き付け部材及び締結配置部材を有する、本発明の第２の実施形態を示す平面図である。
【図６】軟性の延長巻き付け部材が開かれて、依然として収納位置に折り曲げられた取付部品を露出させるところを示す、第２の実施形態の斜視図である。
【図７】完全に延長された取付部品、及び取付部品が収納時に置かれる、浮き箱のようなバッテリパックポケット間の空間、を示す第２の実施形態の斜視図である。
【図１】
2007519463.tif 000003
【図２】
2007519463.tif 000004
【図３】
2007519463.tif 000005
【図４】
2007519463.tif 000006
【図５】
2007519463.tif 000007
【図６】
2007519463.tif 000008
【図７】
2007519463.tif 000009
【国際調査報告】
2007519463.tif 000010
2007519463.tif 000011